(57)【特許請求の範囲】
【請求項１】
スピーカを密閉箱内部に固定するホーン部材と、前記密閉箱のボス部と前記ホーン部材の取付部の間に填め込まれる第１の防振部材と、前記密閉箱のホーン部の端部外周に巻回し前記ホーン部材の端部内周に巻回する第２の防振部材とを備えたことを特徴とするウーハーボックス。
【請求項２】
請求項１記載のウーハーボックスを内部に配設し放音孔を有する筐体と、前記筐体のボス部と前記ウーハーボックスの取付部の間に填め込まれる第３の防振部材と、前記ウーハーボックスのホーン開口部と前記筐体の放音孔を包み込んで空気伝播を抑制する音導を形成する吸音材とを備えたことを特徴とするテレビジョン受像機。
【請求項３】
前記吸音材は、前記ホーン開口部と前記ホーン開口部と同一面にあるポート開口部の両方を囲むように音導を形成したことを特徴とする請求項２記載のテレビジョン受像機。
【請求項４】
前記吸音材は、前記ホーン開口部と前記ホーン開口部と同一面にあるポート開口部を別々に囲んで、それぞれの音導を形成したことを特徴とする請求項２記載のテレビジョン受像機。
【請求項５】
前記筐体に固定されたスコーカの位相と前記ウーハーボックスの位相を逆にすることを特徴とする請求項２〜４のいずれかに記載のテレビジョン受像機。
【発明の詳細な説明】
【０００１】
【発明の属する技術分野】
本発明は、防振部材とスピーカの取付構造とテレビジョン受像機に関するものである。
【０００２】
【従来の技術】
テレビジョン受像機のキャビネット内に取り付けたスピ−カ振動によって陰極線管（ＣＲＴ）のシャドウマスクが振動し画像が乱れるという問題が生じている。最近、前記スピーカの振動防止対策として、例えば、実開平５−２４８５１号公報示されるような、円筒形のゴムを介してスピ−カをキャビネットに固定する方法が提案されている。
【０００３】
また、防振部材として例えば、特開平８−２９６５５８号公報に示されるように、筒状の内面側に円弧状の空隙部を形成した部材が提案されている。
【０００４】
【発明が解決しようとする課題】
しかしながら、単に円筒形のゴムを介して固定する方法だけでは、サブウ−ハ密閉箱のように大出力で放音するスピ−カをテレビジョン受像機内部に装着した際、サブウ−ハ密閉箱そのものの振動が大きすぎて十分に防振することができず、密閉箱の振動がバックカバ−、キャビネットを経由してＣＲＴに伝わる。
【０００５】
また振動伝達経路が空気の場合は空気中を伝播し、バックカバ−の固有振動周波数でバックカバ−が共振し、その振動が振動源となりＣＲＴに伝わる場合がある。こういった場合には従来技術では対策が不可能である。
【０００６】
本発明は上記課題を解決するもので、スピ−カ密閉箱の不要振動そのものをなくしたサブウ−ハ密閉箱を提供し、かつ空気伝播によるバックカバ−の共振をも抑えたテレビジョン受像機を得ることを目的とする。
【０００７】
【課題を解決するための手段】
上記課題を解決するために本発明は、スピーカを密閉箱内部に固定するホーン部材と、前記密閉箱のボス部と前記ホーン部材の取付部の間に填め込まれる第１の防振部材と、前記密閉箱のホーン部の端部外周に巻回し前記ホーン部材の端部内周に巻回する第２の防振部材とを備えたことを特徴とするウーハーボックスである。
【０００８】
また、前記ウーハーボックスを内部に配設し放音孔を有する筐体と、前記筐体のボス部と前記ウーハーボックスの取付部の間に填め込まれる第３の防振部材と、前記ウーハーボックスのホーン開口部と前記筐体の放音孔を包み込んで空気伝播を抑制する音導を形成する吸音材とを備えたことを特徴とするテレビジョン受像機である。
【０００９】
また、前記吸音材は、前記ホーン開口部と前記ホーン開口部と同一面にあるポート開口部の両方を囲むように音導を形成したことを特徴とするテレビジョン受像機である。
【００１０】
また、前記吸音材は、前記ホーン開口部と前記ホーン開口部と同一面にあるポート開口部を別々に囲んで、それぞれの音導を形成したことを特徴とするテレビジョン受像機である。
【００１１】
さらに、前記筐体に固定されたスコーカの位相と前記ウーハーボックスの位相を逆にすることを特徴とするテレビジョン受像機である。
【００１２】
本発明によれば、スピ−カ密閉箱の不要振動そのものをなくしたサブウ−ハ密閉箱を提供し、かつ空気伝播によるバックカバ−共振をも抑えたテレビジョン受像機を得るものである。
【００１３】
【発明の実施の形態】
以下、本発明の実施例における防振部材とスピーカの取付構造とテレビジョン受像機について図面とともに説明する。
【００１４】
図１は本発明の一実施例におけるテレビジョン受像機の断面図、図２は図１に示すテレビジョン受像機の要部断面図、図３は本発明の一実施例におけるテレビジョン受像機の断面図、図４は本発明の一実施例におけるサブウ−ハの側面図、図５は本発明の一実施例におけるサブウ−ハの側面図を示す。
【００１５】
（実施例１）
本発明における第一のテレビジョン受像機は図１、２に示すように、スピーカ１と密閉箱キャビネット５と後面ＢＯＸ５ｃとを備えてなるウ−ハ−ボックス内部にて、スピーカ１と密閉箱キャビネット５との間にホーン部材２を有し、スピ−カ１はホーン部材２に固定されている。
【００１６】
前記ホーン部材２の端部内周に巻回したもう一つの防振部材４とを配設し、ホーン部材２外壁に一端側を開放した鈎穴を有する取付部を延出し、前記鈎穴に防振部材３を填め込んだ後、密閉箱キャビネット５に取り付け固定し、さらにウ−ハ−ボックス自体も防振部材３を介してバックカバ−７にとりつけ固定したことを特徴とする。
【００１７】
前記、構成によりユニット１からの振動はホーン部材２に伝わったとしても防振部材３を介して密閉箱キャビネット５に取り付け固定しているため、密閉箱キャビネット５には振動が伝わらない。またホーン部材２の端部内周に巻回したもう一つの防振部材４にて密閉することで、音響的な密閉性能は保たれる。
【００１８】
防振部材４はスピ−カ１のコ−ン紙のピストン運動方向の動きに対して、垂直方向に貼られているため振動を伝達しない。以上の構成により、不要な振動を密閉箱キャビネット５に伝えないウ−ハ−ボックスとなる。さらに、ウ−ハ−ボックス自体も防振部材３を介してバックカバ−７にとりつけ固定したことで、バックカバ−への伝達も遮断する。
【００１９】
（実施例２）
本発明におけるテレビジョン受像機は、図３に示すように、スピーカ１を固定した密閉箱キャビネット５と後面ＢＯＸ５ｃとを備えてなるウーハーボックスを防振部材３を介してバックカバー７に取り付け固定し、バックカバーに形成した放音孔７ｂをつつみこんで、音が放音孔以外から放出されるよう音導部分を吸音材６により形成し、バックカバーに取り付け固定したことで音がバックカバー７内部空気を伝播して、バックカバーの共振を防ぐことを可能とする。
【００２０】
（実施例３）
本発明におけるテレビジョン受像機は、図４に示すように、スピーカ１を固定した密閉箱キャビネット５と後面ＢＯＸ５ｃとを備えてなるウーハーボックスを防振部材３を介してバックカバー７に取り付け固定し、音が放音孔以外から放出されるよう音導部分を吸音材６により形成することで音がバックカバー７内部空気を伝播して、振動させることを防ぐことを可能としてことを特徴としている。ポートが存在するようなタイプのサブウーハにおいては、スピーカユニット部分とポート部分の両方を囲むように吸音材６で音導を形成することでより効果がえられる。
【００２１】
（実施例４）
本発明におけるテレビジョン受像機は、図５に示すように、スピーカ１を固定した密閉箱キャビネット５と後面ＢＯＸ５ｃとを備えてなるウーハーボックスを防振部材３を介してバックカバー７に取り付け固定し、音が放音孔以外から放出されるよう音導部分を吸音材６により形成することで音がバックカバー７内部空気を伝播して、振動させることを防ぐことを可能としてことを特徴としている。ポートが存在するようなタイプのサブウーハにおいては、スピーカユニット部分とポート部分を分離してそれぞれを囲むように吸音材６で音導を形成することを特徴としている。
【００２２】
（実施例５）
本発明におけるテレビジョン受像機は、図には記載していないが、キャビネットに固定されたスコ−カの位相とバックカバ−に固定されたサブウ−ハの位相を逆にすることで、ＣＲＴに伝わる振動を抑制したことを特徴とするテレビジョン受像機。
【００２３】
【発明の効果】
本発明によれば、スピ−カ密閉箱の不要振動そのものをなくしたサブウ−ハ密閉箱を提供し、かつ空気伝播によるバックカバ−共振をも抑えたテレビジョン受像機を得るものである。
【図面の簡単な説明】
【図１】第１発明のテレビジョン受像機の断面図
【図２】図１に示すテレビジョン受像機の要部断面図
【図３】第２発明のテレビジョン受像機の断面図
【図４】第３発明の一実施例におけるサブウ−ハの側面図
【図５】第４発明の一実施例におけるサブウ−ハの側面図
【符号の説明】
１  スピ−カ
２  ホ−ン部材
３  防振部材
４  防振部材
５  密閉箱キャビネット
５ａ  ボス部
５ｂ  ホ−ン部
６  吸音材
７  バックカバ−
７ａ  ボス部
７ｂ  放音孔
８  ビス
９  ＣＲＴ
【図１】
0003915403.tif 000002
【図２】
0003915403.tif 000003
【図３】
0003915403.tif 000004
【図４】
0003915403.tif 000005
【図５】
0003915403.tif 000006